(57)【要約】【課題】温水配管とアクチュエータ等との配管接続部から漏れた水が電装品に向かって飛び散ることを防止する。【解決手段】温水制御ユニット４は、ヒートポンプユニット１内で加熱された温水を暖房端末２に供給すると共に、暖房端末２から流出した温水をヒートポンプユニット１内に戻す温水回路３を有する温水暖房システム１００の温水制御ユニットであって、電装品３８と、温水回路３の一部を構成する配管３２、３９〜４５、５３、５５とアクチュエータ３３、３６、３７又は継手管３０６〜３１１との各配管接続部Ａ〜Ｍとを収容する筐体３０と、この筐体３０内において、電装品３８と、各配管接続部Ａ〜Ｍの全てとの間を仕切る板状部材３１２とを備える。【選択図】図４
2011137603.tif 000002
【特許請求の範囲】
【請求項１】
ヒートポンプユニット内で加熱された温水を暖房端末に供給すると共に、前記暖房端末から流出した温水を前記ヒートポンプユニット内に戻す温水回路を有する温水暖房システムの温水制御ユニットであって、
電装品と、前記温水回路の一部を構成する配管と他の部品との配管接続部とを収容する筐体と、
前記筐体内において、前記電装品と前記配管接続部の全てとの間を仕切るように配置された板状部材とを備えることを特徴とする温水制御ユニット。
【請求項２】
前記板状部材は、前記筐体の上端から下方に向かって延在するように設けられ、
前記電装品は、前記板状部材の前方に配置されることを特徴とする請求項１記載の温水制御ユニット。
【請求項３】
前記板状部材は、前記筐体の幅方向の全域に亘って配置されていることを特徴とする請求項１又は２に記載の温水制御ユニット。
【請求項４】
前記他の部品は、前記筐体内に配置されたアクチュエータであって、
前記板状部材は、前記アクチュエータの前方に配置されていないことを特徴とする請求項１〜３のいずれか１項に記載の温水制御ユニット。
【請求項５】
前記他の部品は、前記筐体内に配置されたアクチュエータであって、
前記配管は、前記アクチュエータの前方に配置されていないことを特徴とする請求項１〜４のいずれか１項に記載の温水制御ユニット。
【請求項６】
前記板状部材の下端部は、下方に近付くにつれて前方に配置されるように傾斜していることを特徴とする請求項１〜５のいずれか１項に記載の温水制御ユニット。
【請求項７】
前記板状部材に設けられ、前記板状部材の表面から離れた保持板を有する保持部材を備え、
前記電装品は、前記保持板の表面及び裏面に配置されていることを特徴とする請求項１〜６のいずれか１項に記載の温水制御ユニット。
【発明の詳細な説明】
【技術分野】
【０００１】
本発明は、ヒートポンプユニット内で加熱された温水を暖房端末に供給すると共に、この暖房端末から流出した温水をヒートポンプユニット内に戻す温水暖房システムの温水制御ユニットに関する。
【背景技術】
【０００２】
従来、貯湯タンクを有する温水暖房システムでは、温水制御ユニットとして、プリント基板や端子台の電装品を収納する電装品箱と、温水回路の一部を構成する配管やアクチュエータ等を収納する温水回路箱とが、貯湯タンクの側面に別々に設置されている。
【０００３】
ところが、温水暖房システムには、貯湯タンクを有しないものがあり、このシステムでは、従来の電装品箱や温水回路箱とは別の温水制御ユニットを用いることが考えられる。そして、温水制御ユニットとしては、施工性、メンテナンス性、コンパクト化等を考慮すると、電装品と温水回路等とを１つの筐体に収納する方式が考えられる。
【先行技術文献】
【特許文献】
【０００４】
【特許文献１】特開２００９−２１０２５５号公報
【発明の概要】
【発明が解決しようとする課題】
【０００５】
しかしながら、電装品と温水回路等とを１つの筐体に収納した場合、温水制御ユニット内において、温水配管とアクチュエータ等との配管接続部から漏れた水が電装品に向かって飛び散るという問題がある。
【０００６】
本発明の目的は、温水配管とアクチュエータ等との配管接続部から漏れた水が電装品に向かって飛び散ることを防止可能な温水制御ユニットを提供することである。
【課題を解決するための手段】
【０００７】
第１の発明に係る温水制御ユニットは、ヒートポンプユニット内で加熱された温水を暖房端末に供給すると共に、暖房端末から流出した温水を前記ヒートポンプユニット内に戻す温水回路を有する温水暖房システムの温水制御ユニットであって、電装品と、温水回路の一部を構成する配管と他の部品との配管接続部とを収容する筐体と、筐体内において、電装品と配管接続部の全てとの間を仕切るように配置された板状部材とを備える。
【０００８】
この温水制御ユニットでは、筐体内において、電装品と配管接続部の全てとの間を仕切る板状部材を設けることにより、配管接続部から水が漏れ出た場合であっても、この板状部材が水避けとなって、配管接続部から漏れた水が電装品に向かって飛び散ることを防止できる。
【０００９】
なお、本発明中の「他の部品」には、混合弁、循環ポンプ及び流量センサ等のアクチュエータや、継手管や分岐配管等の接続器具が含まれる。
【００１０】
第２の発明に係る温水制御ユニットは、第１の発明に係る温水制御ユニットにおいて、板状部材は、筐体の上端から下方に向かって延在するように設けられ、電装品は、板状部材の前方に配置される。
【００１１】
この温水制御ユニットでは、板状部材は筐体の上端から下方に向かって延在しており、板状部材の上方には隙間がないことから、筐体内において板状部材の上方に配置された配管接続部から水が漏れ出た場合であっても、配管接続部から漏れた水が電装品に向かって飛び散ることを防止できる。
【００１２】
第３の発明に係る温水制御ユニットは、第１又は第２の発明に係る温水制御ユニットにおいて、板状部材は、筐体の幅方向の全域に亘って配置されている。
【００１３】
この温水制御ユニットでは、筐体内部のより広い範囲で、配管接続部から漏れた水が電装品に向かって飛び散ることを防止できる。
【００１４】
第４の発明に係る温水制御ユニットは、第１〜第３の発明のいずれかに係る温水制御ユニットにおいて、他の部品は、前記筐体内に配置されたアクチュエータであって、板状部材は、アクチュエータの前方に配置されていない。
【００１５】
この温水制御ユニットでは、アクチュエータのメンテナンス時に板状部材を取り外す必要がない。また、アクチュエータのメンテナンス時に板状部材が邪魔になることはないので、その作業性を向上させることができる。
【００１６】
本発明において、「板状部材は、アクチュエータの前方に配置されていない」とは、板状部材が、正面視において、アクチュエータと同一の位置に配置されていないことを意味する。
【００１７】
第５の発明に係る温水制御ユニットは、第１〜第４の発明のいずれかに係る温水制御ユニットにおいて、他の部品は、筐体内に配置されたアクチュエータであって、配管は、アクチュエータの前方に配置されていない。
【００１８】
この温水制御ユニットでは、アクチュエータのメンテナンス時に配管を取り外す必要がない。また、アクチュエータのメンテナンス時に配管が邪魔になることはないので、その作業性を向上させることができる。
【００１９】
本発明において、「配管は、アクチュエータの前方に配置されていない」とは、配管が、正面視において、アクチュエータと同一の位置に配置されていないことを意味する。
【００２０】
第６の発明に係る温水制御ユニットは、第１〜第５の発明のいずれかに係る温水制御ユニットにおいて、板状部材の下端部は、下方に近付くにつれて前方に配置されるように傾斜している。
【００２１】
この温水制御ユニットでは、板状部材の下端部に端子台を設置したような場合に、端子台に対するハーネス等の取り付け作業や、端子台からのハーネス等の取り外し作業を容易に行うことができる。また、筐体内において板状部材の後方の配管スペースをより大きくできる。
【００２２】
第７の発明に係る温水制御ユニットは、第１〜第６の発明のいずれかに係る温水制御ユニットにおいて、板状部材に設けられ、板状部材の表面から離れた保持板を有する保持部材を備え、電装品は、保持板の表面及び裏面に配置されている。
【００２３】
この温水制御ユニットでは、保持板の表面だけではなく裏面にも電装品を配置することにより、板状部材の表面と保持板の裏面との間に形成したスペースを有効に活用することができる。
【発明の効果】
【００２４】
以上の説明に述べたように、本発明によれば、以下の効果が得られる。
【００２５】
第１の発明では、筐体内において、電装品と配管接続部の全てとの間を仕切る板状部材を設けることにより、配管接続部から水が漏れ出た場合であっても、この板状部材が水避けとなって、配管接続部から漏れた水が電装品に向かって飛び散ることを防止できる。
【００２６】
また、第２の発明では、板状部材は筐体の上端から下方に向かって延在しており、板状部材の上方には隙間がないことから、筐体内において板状部材の上方に配置された配管接続部から水が漏れ出た場合であっても、配管接続部から漏れた水が電装品に向かって飛び散ることを防止できる。
【００２７】
また、第３の発明では、筐体内部のより広い範囲で、配管接続部から漏れた水が電装品に向かって飛び散ることを防止できる。
【００２８】
また、第４の発明では、アクチュエータのメンテナンス時に板状部材を取り外す必要がない。また、アクチュエータのメンテナンス時に板状部材が邪魔になることはないので、その作業性を向上させることができる。
【００２９】
また、第５の発明では、アクチュエータのメンテナンス時に配管を取り外す必要がない。また、アクチュエータのメンテナンス時に配管が邪魔になることはないので、その作業性を向上させることができる。
【００３０】
また、第６の発明では、板状部材の下端部に端子台を設置したような場合に、端子台に対するハーネス等の取り付け作業や、端子台からのハーネス等の取り外し作業を容易に行うことができる。また、筐体内において板状部材の後方の配管スペースをより大きくできる。
【００３１】
また、第７の発明では、保持板の表面だけではなく裏面にも電装品を配置することにより、板状部材の表面と保持板の裏面との間に形成したスペースを有効に活用することができる。
【図面の簡単な説明】
【００３２】
【図１】本発明の第１実施形態に係る温水制御ユニットを備えた温水暖房システムの構成を示す模式図である。
【図２】図１の温水暖房システムに含まれる温水制御ユニットの正面視図である。
【図３】温水制御ユニットの分解図である。
【図４】温水制御ユニットの分解図である。
【図５】温水制御ユニットの分解図である。
【図６】温水制御ユニットの分解図である。
【図７】温水制御ユニットの分解図である。
【図８】温水制御ユニットの分解図である。
【図９】本発明の第２実施形態に係る温水制御ユニットの正面視図である。
【図１０】温水制御ユニットの分解図である。
【図１１】温水制御ユニットの分解図である。
【発明を実施するための形態】
【００３３】
（第１実施形態）
以下、図面に基づいて、本発明の第１実施形態に係る温水制御ユニットを備えた温水暖房システムについて説明する。図１は、本発明の第１実施形態に係る温水暖房システムの構成を示す模式図である。
【００３４】
＜温水暖房システムの構成＞
図１に示すように、温水暖房システム１００は、温水を加熱するヒートポンプユニット１と、ラジエタや床温調パネル等の暖房ユニット２（暖房端末）と、ヒートポンプユニット１と暖房ユニット２とを接続する温水回路３とを有している。この温水回路３は、ヒートポンプユニット１内で加熱された温水を暖房ユニット２に供給すると共に、この暖房ユニット２から流出した温水をヒートポンプユニット１内に戻すものである。そして、この温水回路３には、暖房ユニット２に供給される温水の流量や温度を制御するための温水制御ユニット４が含まれる。また、温水暖房システム１００は、給湯用の湯を貯留する給湯ユニット５も有している。
【００３５】
図１に示すように、ヒートポンプユニット１内で加熱された温水は、接続配管２０を介して、継手管３０６から温水制御ユニット４に供給される。そして、この温水制御ユニット４の継手管３０７から暖房ユニット２に向かって流出した温水は、接続配管２１を介して、暖房ユニット２に供給される。なお、この接続配管２１には、その内部を流れる温水を加熱するためのバックアップヒータユニット２２と、温水を給湯ユニット５に供給する際に用いられる三方弁２３とが設けられている。
【００３６】
暖房ユニット２から流出した温水は、接続配管２４を介して、継手管３０８から温水制御ユニット４に供給される。そして、温水制御ユニット４の継手管３０９からヒートポンプユニット１に向かって流出した温水は、接続配管２５を介して、ヒートポンプユニット１内に戻される。
【００３７】
また、温水制御ユニット４内には、バイパス配管３２（配管）及び混合弁３３（アクチュエータ）が設けられている。したがって、暖房ユニット２から流出した温水は、温水制御ユニット４内に流入した後、その温水の一部は、バイパス配管３２及び混合弁３３を介して、ヒートポンプユニット１から温水制御ユニット４内に流入した温水と混合される。従って、ヒートポンプユニット１内で加熱された温水は、バイパス配管３２から供給される温水と混合した後で、温水制御ユニット４から暖房ユニット２に向かって流出する。混合弁３３は、ヒートポンプユニット１内で加熱された温水に対して混合されるバイパス配管３２からの温水の量を調整することで、暖房ユニット２に供給される温水の温度を調整するために用いられる。
【００３８】
また、温水暖房システム１００では、接続配管２１に設けた三方弁２３を切り換えることによって、温水制御ユニット４から暖房ユニット２に向かって流出した温水を、給湯ユニット５に供給することができる。
【００３９】
＜温水制御ユニットの構成＞
図２は、図１の温水暖房システムに含まれる温水制御ユニットの正面視図である。温水制御ユニット４の筐体３０は、板金製の前側板３００、右側板３０１、左側板３０２、上側板３０３、下側板３０４及び後側板３０５により構成されている。
【００４０】
図３〜図８は、図２の温水制御ユニットの分解図である。図３は、前側板３００を取り外した状態を示した正面視図である。図４は、右側板３０１を取り外した状態を示した右側面視図である。図５は、左側板３０２を取り外した状態を示した左側面視図である。図６は、図３の前側板３００を取り外した状態から前面パネル３１６を取り外した状態を示した正面視図である。図７は、図６の前側板３００及び前面パネル３１６を取り外した状態から後述する電装品３８や板状部材３１２を取り外した状態を示した正面視図である。図８は、後側板３０５を取り外した状態を示した背面視図である。
【００４１】
筐体３０の下端に配置された下側板３０４には、図２〜図８に示すように、継手管３０６〜３０９、３１１が設けられている。
【００４２】
継手管３０６には、ヒートポンプユニット１からの温水を筺体３０内の温水回路３に供給するための接続配管２０が外部から接続される。継手管３０７には、筺体３０内の温水回路３から暖房ユニット２に向かって温水を供給するための接続配管２１が外部から接続される。
【００４３】
継手管３０８には、暖房ユニット２からの温水を筺体３０内の温水回路３に供給するための接続配管２４が外部から接続される。継手管３０９には、筺体３０内の温水回路３からヒートポンプユニット１に向かって温水を供給するための接続配管２５が外部から接続される。継手管３１１には、筐体３０内の温水回路３への温水の給水または温水回路３からの温水の排水に用いられる給排水配管が外部から接続される。
【００４４】
そして、継手管３０６と継手管３０７との間には、図７に示すように、接続配管３９、混合弁３３、接続配管４４、循環ポンプ３６、接続配管４０が配置されている。配管接続部Ａは、継手管３０６の上端と接続配管３９の下端との接続部を示し、配管接続部Ｂは、接続配管３９の上端と混合弁３３との接続部を示し、配管接続部Ｃは、混合弁３３と接続配管４４の右端との接続部を示している。また、配管接続部Ｄは、接続配管４４の左端と循環ポンプ３６の吸入側との接続部を示し、配管接続部Ｅは、循環ポンプ３６の吐出側と接続配管４０の右端との接続部を示し、配管接続部Ｆは、接続配管４０の左端と継手管３０７の上端との接続部を示している。
【００４５】
これにより、温水制御ユニット３の筐体３０内に継手管３０６から供給された温水は、接続配管３９、混合弁３３、接続配管４４、循環ポンプ３６、接続配管４０を介して、継手管３０７から暖房ユニット２に向かって流出する。
【００４６】
また、継手管３０８と継手管３０９との間には、図８に示すように、接続配管４１、流量センサ３７、接続配管４２、分岐配管５２、接続配管４３、分岐配管５４、接続配管４３が配置されている。配管接続部Ｇは、継手管３０８の上端と接続配管４１の下端との接続部を示し、配管接続部Ｈは、接続配管４１の上端と流量センサ３７の吸入側との接続部を示している。また、配管接続部Ｉは、流量センサ３７の吐出側と接続配管４２の右端との接続部を示し、配管接続部Ｊは、接続配管４３の下端と継手管３０９の上端との接続部を示している。
【００４７】
これにより、温水制御ユニット３の筐体３０内に継手管３０８から供給された温水は、接続配管４１、流量センサ３７、接続配管４２、分岐配管５２、接続配管５３、分岐配管５４、接続配管４３を介して、継手管３０９からヒートポンプユニット１に向かって流出する。
【００４８】
また、上述した分岐配管５２の側面には、図４に示すように、バイパス配管３２の上端が接続されており、接続配管３２の下端は、混合弁３３に接続されている。配管接続部Ｋは、バイパス配管３２の下端と混合弁３３との接続部を示している。これにより、分岐配管５２内の温水を、バイパス配管３２を介して、混合弁３３へ供給できる。
【００４９】
上述した分岐配管５４の下端には、図４に示すように、接続配管４５の上端が接続されており、接続配管４５の下端は、継手管３１１に接続されている。配管接続部Ｌは、接続配管４５の下端と継手管３１１の上端との接続部を示している。これにより、継手管３１１及び接続配管４５を介して、温水回路３内に水を給水できると共に、温水回路３から水を外部へ排水できる。
【００５０】
また、筐体３０の上端に配置された上側板３０３には、図４及び図５に示すように、継手管３１０が設けられている。継手管３１０には、エア抜き管５０が外部から接続される。従って、エア抜き管５０は、筐体３０の外部に設けられると共に、筐体３０の上方に設けられることになる。そして、継手管３０８と継手管３０９との間に配置された接続配管４２は、接続配管５５を介して継手管３１０に接続されている。配管接続部Ｍは、継手管３１０の下端と接続配管５５の上端との接続部を示している。これにより、接続配管４２に溜まった空気を、接続配管５５、継手管３１０及びエア抜き管５０を介して外部へ放出できる。
【００５１】
なお、図７に示すように、継手管３０６と継手管３０７との間に配置された接続配管４０は、配管接続部Ｆにおいて継手管３０７に接続された左端から上方に向かって延在し、その後、水平方向に折れ曲がり、さらに、下方に折れ曲がって、下方に向かって延在して、その右端が配管接続部Ｅにおいて循環ポンプ３６に接続されている。
【００５２】
また、図８に示すように、継手管３０８と継手管３０９との間に配置された接続配管４２は、配管接続部Ｉにおいて流量センサ３７に接続された右端から上方に向かって延在し、その後、水平方向に折れ曲がり、さらに、下方に折れ曲がって、下方に向かって延在して、その左端が分岐配管５２に接続されている。そして、接続配管４２の上端に設けられた水平部分における分岐部５１において、接続配管５５の下端が接続されている。
【００５３】
ここで、筐体３０において、エア抜き管５０に接続された接続配管４２の水平部分は、接続配管４０の上端に設けられた水平部分より高い位置に配置されている。また、接続配管４２の水平部分は、筐体３０内の配管（ヒートポンプユニット１と暖房ユニット２とを接続する配管であって、エア抜き管５０に接続するための接続配管５５以外の配管）のうちで最も高い位置に配置されている。さらに、接続配管４２の水平部分は、接続配管４０の水平部分より後方に配置されている。
【００５４】
なお、図８に示すように、接続配管４２の左端と分岐配管５２との接続部、分岐配管５２と接続配管５３の上端との接続部、接続配管５３の下端と分岐配管５４との接続部、分岐配管５４と接続配管４３の上端との接続部、分岐配管５４と接続配管４５の上端との接続部、接続配管４２の水平部分と分岐部５１との接続部、分岐部５１と接続配管５５の下端との接続部は、溶接で接続されている。
【００５５】
筐体３０内には、図４及び図５に示すように、板状部材３１２が配置されている。この板状部材３１２は、筐体３０の上端から下方に向かって延在するように設けられており、上方部分３１３と下方部分３１４とを有している。上方部分３１３は、筐体３０の上端から鉛直下方に向かって延在している。下方部分３１４は、上方部分３１３の下端から、下方に近付くにつれて前方に配置されるように傾斜している。板状部材３１２は、図６に示すように、筐体３０の幅方向の全域に亘って配置されている。また、上方部分３１３には、その前面から離れた位置に配置された保持板３１５ａを有する保持部材３１５が設けられている。
【００５６】
図４及び図５に示すように、筐体３０において、板状部材３１２の前方には、電装品収納部３Ａが設けられ、板状部材３１２の後方及び下方には、温水回路収納部３Ｂが設けられている。
【００５７】
電装品収納部３Ａには、前側板３００に設けられた本体リモコン３８ａに接続されたプリント基板３８ｂ及び端子台３８ｃ等が収容されている。プリント基板３８ｂは、図６に示すように、保持板３１５ａの表面及び裏面に配置されている。なお、保持板３１５ａの裏面に配置されたプリント基板は図示していない。また、端子台３８ｃは、図６に示すように、下方部分３１４の表面に設置されている。
【００５８】
温水回路収納部３Ｂには、図３〜図８に示すように、上述したバイパス配管３２、混合弁３３、循環ポンプ３６、流量センサ３７及び接続配管３９〜４５、５３、５５（配管）等の温水回路が収容されている。バイパス配管３２や接続配管３９〜４５、５３、５５は、温水回路３の一部を構成するものである。また、図３に示すように、筐体３０内に配置されたバイパス配管３２や接続配管は、混合弁３３及び循環ポンプ３６の前方に配置されていない。また、図３に示すように、筐体３０内に配置された板状部材３１２は、混合弁３３及び循環ポンプ３６の前方に配置されていない。
【００５９】
上述したように、電装品収納部３Ａと温水回路収納部３Ｂとは、板状部材３１２によって仕切られている。従って、プリント基板３８ｂ及び端子台３８ｃ等の電装品３８と、全ての配管接続部Ａ〜Ｍとの間には、板状部材３１２が配置されていることから、板状部材３１２によって仕切られていることになる。
【００６０】
[第１実施形態の温水制御ユニットの特徴]
以上、第１実施形態の温水制御ユニットでは、筐体３０の内部において、本体リモコン３８ａ、基板３８ｂ及び端子台３８ｃ等の電装品３８と、全ての配管接続部Ａ〜Ｍとを仕切る板状部材３１２を設けることにより、配管接続部Ａ〜Ｍから水が漏れ出た場合であっても、この板状部材３１２が水避けとなって、配管接続部Ａ〜Ｍから漏れた水が電装品に向かって飛び散ることを防止できる。
【００６１】
また、板状部材３１２は筐体３０の上端から下方に向かって延在しており、板状部材３１２の上方には隙間がないことから、筐体３０内において配管接続部Ｍから水が漏れ出た場合であっても、配管接続部Ｍから漏れた水が板状部材３１２の上方から電装品３８に向かって飛び散ることを防止できる。
【００６２】
また、板状部材３１２を筐体３０の幅方向の全域に亘って配置することにより、筐体３０内のより広い範囲から電装品３８への水の飛び散りを遮ることができる。
【００６３】
また、各配管接続部だけではなく、バイパス配管３２や各接続配管３９〜４５、５３、５５も、板状部材３１２によって電装品３８と仕切ることにより、広い範囲からの電装品３８への水の飛び散りを遮ることができる。
【００６４】
また、各接続配管を混合弁３３や循環ポンプ３６の前方に配置しないので、混合弁３３や循環ポンプ３６のメンテナンス時に、接続配管を取り外す必要がない。また、混合弁３３や循環ポンプ３６のメンテナンス時に、接続配管が邪魔になることはないので、作業性を向上させることができる。
【００６５】
また、板状部材３１２を混合弁３３や循環ポンプ３６の前方に配置しないので、混合弁３３や循環ポンプ３６のメンテナンス時に、板状部材３１２を取り外す必要がない。また、混合弁３３や循環ポンプ３６のメンテナンス時に、板状部材３１２が邪魔になることはないので、作業性を向上させることができる。
【００６６】
また、板状部材３１２の下端部分３１４を、下方に近付くにつれて前方に配置されるように傾斜させることにより、下端部分３１４に設置した端子台３８ｃに対するハーネス等の取り付け作業や、端子台３８ｃからのハーネス等の取り外し作業を容易に行うことができる。また、筐体３０内において板状部材３１２の後方の配管スペースをより大きくできる。
【００６７】
また、保持板３１５ａの表面だけではなく裏面にもプリント基板を配置することにより、板状部材３１２の上端部分３１３と保持板３１５ａとの間に形成したスペースを有効に活用することができる。
【００６８】
また、接続配管４２の水平部分は、筐体３０内の配管のうちで最も高い位置に配置されていることから、接続配管４２が筺体３０内の配管のうちで最も配管内に空気が溜まり易いので、接続配管４２にエア抜き管５０を接続することで、効率良くエア抜きを実現できる。
【００６９】
（第２実施形態）
以下、図面に基づいて、本発明の第２実施形態に係る温水制御ユニットについて説明する。図９は、温水制御ユニットの正面視図である。図１０及び図１１は、図９の温水制御ユニットの分解図である。なお、第１実施形態で説明した要素と同一の要素については同じ符号を付し、詳細な説明を省略する。
【００７０】
図１０は、図９の筐体から前側板を取り外した状態を示した正面視図である。図１１は、図９の筐体から左側板を取り外した状態を示した左側面視図である。図１０に示すように、第１実施形態の板状部材３１２に対応する板状部材１３１２が、筐体３０の幅方向の一部（中央より右側）に配置されている。また、板状部材１３１２の左端には、その一部として、左側板１３１２ａが形成されている。
【００７１】
図１０及び図１１に示すように、板状部材１３１２の前方には、電装品収納部１０３Ａが配置されており、板状部材１３１２の左方、後方及び下方には、温水回路収納部１０３Ｂが配置されている。そして、電装品収納部１０３Ａの内部には、本体リモコン３８ａや端子台３８ｃ等の電装品３８が収容されており、板状部材１３１２の前方に配置されている。また、温水回路収納部１０３Ｂの内部には、バイパス配管３２や混合弁３３等のアキュムレータや、各接続配管が収容されており、板状部材１３１２の左方、後方及び下方に配置されている。
【００７２】
この実施形態では、継手管３０６と継手管３０７との間に配置された接続配管１４０が、接続配管１５５を介して、エア抜き管５０が外部から接続された継手管３１０に接続されている。筐体３０において、エア抜き管５０に接続された接続配管１４０の水平部分は、継手管３０８と継手管３０９との間に配置された接続配管１４２の上端に設けられた水平部分より高い位置に配置されている。また、接続配管１４０の水平部分は、筐体３０内の配管（ヒートポンプユニット１と暖房ユニット２とを接続する配管であって、エア抜き管５０に接続するための接続配管１５５以外の配管）のうちで最も高い位置に配置されている。さらに、接続配管１４０の水平部分は、接続配管１４２の水平部分より前方に配置されている。
【００７３】
図１０及び図１１に示すように、電装品収納部１０３Ａと温水回路収納部１０３Ｂとは、板状部材１３１２によって仕切られている。従って、本体リモコン３８ａや端子台３８ｃ等の電装品３８と、全ての配管接続部Ａ〜Ｍとの間には、板状部材１３１２が配置されていることから、板状部材１３１２によって仕切られていることになる。
【００７４】
[第２実施形態の温水制御ユニットの特徴]
以上、第２実施形態の温水制御ユニットでは、筐体３０の内部において、本体リモコン３８ａや端子台３８ｃ等の電装品３８と、全ての配管接続部Ａ〜Ｍとを仕切る板状部材１３１２を設けることにより、配管接続部Ａ〜Ｍから水が漏れ出た場合であっても、この板状部材１３１２が水避けとなって、配管接続部Ａ〜Ｍから漏れた水が電装品３８に向かって飛び散ることを防止できる。
【００７５】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【００７６】
上述した第１及び第２実施形態では、保持板の表面及び裏面にプリント基板を配置する例について述べたが、本発明はこれに限定されず、例えば、表面のみにプリント基板を配置してもよく、裏面のみにプリント基板を配置してもよい。
【００７７】
上述した第１及び第２実施形態では、板状部材の下方部分を、筐体の下方に近付くにつれて前方に配置されるように傾斜させる例について述べたが、本発明はこれに限定されず、例えば、板状部材の全体が、鉛直方向と平行に配置されてもよいし、水平に配置されてもよい。また、板状部材の上方部分と下方部分とが直角に曲がっていてもよいし、板状部材の形状は変更できる。
【００７８】
上述した第１及び第２実施形態では、接続配管４２の左端と分岐配管５２との接続部、分岐配管５２と接続配管５３の上端との接続部を溶接で接続する例について述べたが、本発明はこれに限定されず、これらの接続部を配管接続部Ａ〜Ｍと同様に接続してもよい。
【００７９】
上述した第１及び第２実施形態では、温水制御ユニットが板金製の板状部材を有している例について述べたが、本発明はこれに限定されず、板状部材の材質は変更できる。
【００８０】
上述した第１及び第２実施形態では、温水回路が、給湯ユニット及びバックアップヒータユニットを有している例について述べたが、本発明はこれに限定されず、温水回路は、給湯ユニットやバックアップヒータユニットを有していなくてよい。
【産業上の利用可能性】
【００８１】
本発明を利用すれば、温水配管とアクチュエータ等との配管接続部から漏れた水が電装品に向かって飛び散ることを防止可能な温水制御ユニットを得ることができる。
【符号の説明】
【００８２】
１  ヒートポンプユニット
２  暖房ユニット（暖房端末）
３  温水回路
４、１０４  温水制御ユニット
５  給湯ユニット
３０  筐体
３２  バイパス管（配管）
３３  混合弁（アクチュエータ）
３６  循環ポンプ（アクチュエータ）
３７  流量センサ（アクチュエータ）
３８  電装品
３８ａ  
３９〜４５、５３、５５、１４０、１４２、１５５  接続配管（配管）
３１２、１３１２  板状部材
３１３  上端部分
３１４  下端部分
３１５  保持部材
３１５ａ  保持板
Ａ〜Ｍ  配管接続部
【図１】
2011137603.tif 000003
【図２】
2011137603.tif 000004
【図３】
2011137603.tif 000005
【図４】
2011137603.tif 000006
【図５】
2011137603.tif 000007
【図６】
2011137603.tif 000008
【図７】
2011137603.tif 000009
【図８】
2011137603.tif 000010
【図９】
2011137603.tif 000011
【図１０】
2011137603.tif 000012
【図１１】
2011137603.tif 000013